(57)【要約】【課題】使用後に吸収性物品を折りたたんでカバーシートで覆うことができて、使用面を触ることなく容易に捨てることができ、しかも、装着ズレ、ヨレのない吸収性物品を提供することを目的とする。【解決手段】ｉ）液透過性表面シートと、液不透過性裏面シートと、それらの間にあって体液を吸収可能な吸収体を備え、縦長に形成された吸収性物品本体、及びｉｉ）裏面シートを被覆し、吸収性物品本体と長手方向縁部および幅方向縁部で接合されているカバーシートを有し、カバーシートの裏面シートと対面しない側（着衣側）の表面には止着部が存在し、カバーシートには、吸収性物品本体の長手方向に伸びる切断線又は切断補助線が形成されている、吸収性物品。【選択図】図４
2014068913.tif 000002
【特許請求の範囲】
【請求項１】
ｉ）液透過性表面シートと、液不透過性裏面シートと、それらの間にあって体液を吸収可能な吸収体を備え、縦長に形成された吸収性物品本体、及び
ｉｉ）裏面シートの少なくとも吸収性物品本体領域を被覆し、その長手方向縁部および幅方向縁部で吸収性物品本体と接合されているカバーシートを有し、
カバーシートの裏面シートと対面しない側（着衣側）の表面には止着部が存在し、
カバーシートには、吸収性物品本体の長手方向に伸びる切断線又は切断補助線が形成されていることを特徴とする吸収性物品。
【請求項２】
吸収性物品本体の長手方向中央を跨いで、縦長の吸収性物品本体からその左右幅方向外側に延出する一対のフラップを有し、フラップ部にも止着部を有することを特徴とする請求項１に記載の吸収性物品。
【請求項３】
カバーシートには前記切断補助線が形成されており、当該切断補助線の少なくともフラップ対応領域において吸収性物品幅方向に１．５ｍｍ以上の幅を有する開孔部を有しており、切断補助線と重なる位置に粘着性の止着部を有し、開孔部では裏面シートに粘着性の止着部が配置されていることを特徴とする請求項１に記載の吸収性物品。
【請求項４】
カバーシートの全光線透過率が６０％以下であることを特徴とする請求項１〜３のいずれか１項に記載の吸収性物品。
【請求項５】
フラップ部の止着部は、本体の止着部よりも幅広とされていることを特徴とする請求項１〜４のいずれか１項に記載の吸収性物品。
【請求項６】
カバーシートが吸収性物品本体及びフラップの全面を覆っていることを特徴とする請求項１〜５のいずれか１項に記載の吸収性物品。
【請求項７】
カバーシートに形成された切断補助線は、吸収性物品本体の長手方向前端部から後端部まで形成されていることを特徴とする請求項１〜６のいずれか１項に記載の吸収性物品。
【請求項８】
ｉ）液透過性表面シートと、液不透過性裏面シートと、それらの間にあって体液を吸収可能な吸収体を備え、縦長に形成された吸収性物品本体、及び
ｉｉ）裏面シートの少なくとも吸収性物品本体領域を被覆し、その長手方向縁部および幅方向縁部で吸収性物品本体と接合されているカバーシートを有し、
カバーシートの裏面シートと対面しない側（着衣側）の表面には止着部が存在し、
使用後、カバーシートで吸収性物品本体の表面シート側を覆うことが可能であることを特徴とする吸収性物品。
【発明の詳細な説明】
【技術分野】
【０００１】
本発明は、廃棄手段を備えた生理用ナプキン、パンティライナー（おりもの、尿もれケア用ライナー）、失禁パッド、陰唇間パッド等の吸収性物品に関する。
【背景技術】
【０００２】
従来の生理用ナプキンとして、使用後に、捨てるために折ったり巻いたりでき、かつ自己シールすることができる生理用ナプキンであって、（ａ）２つの端部と、２つの長い縁部と、下着に対面する側と、身体に対面する側とを有する長い中央吸収体要素、（ｂ）前記吸収体要素の前記身体対面側を実質的に覆う裏打層、（ｃ）前記裏打層の長い縁部をその一端で横方向に越えて延びる少なくとも１つのフラップ、および（ｄ）捨てるために前記ナプキンが横軸を中心として巻かれるか折りたたまれ、そして前記フラップが前記の巻かれまたは折曲げられたナプキンの周りに巻き付けられたときに、前記フラップを前記裏打層に接着させるために前記裏打層上の所定の位置に置かれる第１の接着手段、を備えた生理用ナプキンが開示されている（特許文献１：特許第2688359号公報）。
【０００３】
しかしながら、このような生理用ナプキンでは、捨てる時にナプキンが横軸を中心として巻かれるか折りたたまれ、そしてナプキンに形成されたフラップが巻かれまたは折曲げられたナプキンの周りに巻き付けられたときに、フラップをバックシート側に接着させるために、バックシート上の所定の位置に接着手段を備えたという構造になっている。その為、本来のナプキンとしての機能（ヨレ、ズレを防ぐ為の下着への固定）が大きく損なわれた構造となっている。以下、図面を用いて具体的に説明する。
【０００４】
図１に一般的なフラップ付きナプキン１を下着６に止着した様子を示し、図２（Ａ）に一般的なフラップ付きナプキンの裏面を、図２（Ｂ）に特許文献１に教示されているナプキンの裏面を示す。図１及び図２（Ａ）を参照すると、使用時にはナプキン１のバックシート表面２に形成された止着部４と、バックシート表面２から延長されたフラップ３に形成された止着部４’を介してナプキン１を下着６に止着する。この一般的なフラップ付きナプキン１では、使用中に外圧（側圧）を受けてナプキンが最もヨレ、ズレの発生し易い箇所、下着に止着される箇所でいうと下着の幅方向長さの最も短い箇所（クロッチ最狭部）７に、クロッチ７を巻き込む様にして止着するようにフラップ３及び止着部４’が形成されている。しかし、図２（Ｂ）のナプキン１’では、このナプキン１’の廃棄方法が、ナプキンの横軸を中心として巻かれるか、折り畳まれた後でフラップ３’でナプキンが開かない様に蓋をする様になっている。その為、使用時にフラップ３’はバックシート２上に折り畳まれた構造であり、そのバックシート２上に折り畳まれたフラップ３’上に止着部４”が形成されている。したがって、フラップ３’及び止着部４”は、クロッチを巻き込む様にして止着することができない構造であり、図２（Ｂ）のナプキンは使用時のズレ止めに関してフラップ無しナプキンと同じ構造であるために、ヨレ、ズレが発生し易くなってしまう。
【０００５】
また、一般的なフラップなしのナプキンの裏面を図３（Ａ）、特許文献１に教示されているナプキンの裏面を図３（Ｂ）に示すが、いずれも、使用時にはナプキン１’、１”のバックシート表面２に形成された止着部４または止着部４、４”によってナプキンを下着に止着する。フラップ無しナプキン１”は、クロッチを巻き込む様にして止着されるヨレ、ズレに効果の高いフラップが無い為、図２（Ａ）に示したフラップ付きナプキン１と比べて、ヨレ、ズレは発生し易くなってしまう。しかし、特許文献１の構造は一般的なフラップなしのナプキンよりも更にヨレ、ズレが発生し易くなってしまう。何故なら、ナプキン本体１’と下着を直接止着する為の止着部４、４”の面積が、バックシート表面２と、フラップ３’に分けられるので、フラップなしのナプキン１”の止着部４の面積より小さい為である。さらに、特許文献１の構造では、フラップ３’上に止着部４”が形成されているが、このフラップ３’はバックシート２上に折り畳まれているだけで、ナプキン本体１‘とは離間している状態なので、フラップ３’だけが下着６に止着され、ナプキン本体１’は下着６から離間した状態になっているので、ヨレ、ズレがより発生し易い。
【先行技術文献】
【特許文献】
【０００６】
【特許文献１】特許第2688359号公報
【発明の概要】
【０００７】
本発明は、上記のような従来技術の問題に鑑みてなされたものであり、使用後に吸収性物品を折りたたんでカバーシートで覆うことができて、使用面を触ることなく容易に捨てることができ、しかも、装着ズレ、ヨレのない吸収性物品を提供することを目的とし、この目的を達成するために、下記を提供するものである。
【０００８】
すなわち、本発明は、ｉ）液透過性表面シートと、液不透過性裏面シートと、それらの間にあって体液を吸収可能な吸収体を備え、縦長に形成された吸収性物品本体、及び
ｉｉ）裏面シートの少なくとも吸収性物品本体領域を被覆し、その長手方向縁部および幅方向縁部で吸収性物品本体と接合されているカバーシートを有し、
カバーシートの裏面シートと対面しない側（着衣側）の表面には止着部が存在し、
カバーシートには、吸収性物品本体の長手方向に伸びる、切断線又は切断補助線が形成されていることを特徴とする吸収性物品を提供する。
【０００９】
１つの態様によれば、吸収性物品本体の長手方向中央を跨いで、縦長の吸収性物品本体からその左右幅方向外側に延出する一対のフラップを有し、フラップ部（フラップ領域にあるカバーシート部分をいうが、カバーシートのないフラップ部分であってもよい）にも止着部を有することを特徴とすることにより、装着ズレの問題なく使用することができ、また隠蔽性に優れるので、使用後の処理において、手を汚すことなくくるむことが可能となる。
【００１０】
また、もう１つの態様によれば、カバーシートには前記切断線又は切断補助線が形成されており、当該切断線又は切断補助線の少なくともフラップ対応領域（吸収性物品本体の長手方向においてフラップが存在する領域に対応する領域）において吸収性物品幅方向に１．５ｍｍ以上の幅を有する開孔部を有しており、ミシン目と重なる位置に粘着性の止着部を有し、開孔部では裏面シートに粘着性の止着部が配置されていることを特徴とすることにより、製品本体とカバーシートが平面視にて切断線又は切断補助線と重なる位置において離間することなく下着に接合できるため、使用中に外力が加わった際に、ヨレたり、ズレたりする事をより抑制できる。
【００１１】
さらにもう１つの態様では、カバーシートの全光線透過率が６０％以下であることを特徴とすることで、廃棄処理したときに、カバーシートを通じ製品の内部が透けて見えない効果が得られる。カバーシートの全光線透過率は、さらに２０〜６０％であることがより好ましい。
【００１２】
また、フラップ部の止着部は、本体の止着部よりも幅広とされていることを特徴とすることで、フラップ部を使って、カバーシートを裏返す動作がより容易に実施できるようになる効果がある。
【００１３】
カバーシートは吸収性物品本体及びフラップの全面を覆っていることが、カバーシートを左右に開いてその開口部を介してカバーシートを裏返して吸収性物品本体をくるむ機能の点、及び製造工程上、好ましい。また、カバーシートの開口部を介してカバーシートを裏返して吸収性物品本体をくるむために、カバーシートに形成された切断線又は切断補助線が、吸収性物品本体の長手方向前端部から後端部まで形成されていることが好ましい。
【００１４】
本発明の別の側面によれば、ｉ）液透過性表面シートと、液不透過性裏面シートと、それらの間にあって体液を吸収可能な吸収体を備え、縦長に形成された吸収性物品本体、及び
ｉｉ）裏面シートの少なくとも吸収性物品本体領域を被覆し、その長手方向縁部および幅方向縁部で吸収性物品本体と接合されているカバーシートを有し、
カバーシートの裏面シートと対面しない側（着衣側）の表面には止着部が存在し、
使用後、カバーシートで吸収性物品本体を覆い、くるむことが可能であることを特徴とする吸収性物品が提供される。
【発明の効果】
【００１５】
本発明によれば、使用後に吸収性物品を折りたたんでカバーシートで覆うことができて、使用面を触ることなく容易に捨てることができ、しかも、装着ズレ、ヨレのない吸収性物品が提供される。カバーシートがナプキン本体に更に形成されている事で吸収性物品の製品剛性が向上するため、吸収性物品はカバーシートによりヨレ、ズレが発生し難く、その結果モレを起こし難いという効果も得られる。
【図面の簡単な説明】
【００１６】
【図１】一般的なフラップ付きナプキンを下着に止着する様子を示す。
【図２】図２（Ａ）は一般的なフラップ付きナプキンの裏面を、図２（Ｂ）は特許文献１に教示されているナプキンの裏面を示す。
【図３】図３（Ａ）は一般的なフラップなしのナプキンの裏面を、図３（Ｂ）は特許文献１に教示されているナプキンの裏面を示す。
【図４】本発明の１つの実施形態の生理用ナプキンの裏面シート側の展開正面図と、そのＸ−Ｘ断面図及びＹ−Ｙ断面図を示す。
【図５】本発明の別の実施形態の生理用ナプキンの裏面シート側の展開正面図と、そのＸ−Ｘ断面図及びＹ−Ｙ断面図を示す。
【図６】図６（Ａ）に図４の実施形態の生理用ナプキンの裏面シート側を示し、図６（Ｂ）（Ｃ）にその表面シート側を示す。
【図７】本発明の実施形態の生理用ナプキンを使用後に折りたたみ、カバーシートで覆う工程を説明する図である。
【図８】本発明の実施形態の生理用ナプキンを使用後に折りたたみ、カバーシートで覆う工程の続きを説明する図である。
【図９】本発明の別の実施形態の生理用ナプキンを使用後に折りたたみ、カバーシートで覆う工程を説明する図である。
【発明を実施するための形態】
【００１７】
本発明の実施形態の吸収性物品（生理用ナプキン）を図面を参照して説明する。
【００１８】
図４は、本発明の実施形態の吸収性物品である生理用ナプキンを裏面シート側から見た平面図、Ｘ−Ｘ方向及びＹ−Ｙ方向の断面図である。図５は、本発明の別の実施形態の吸収性物品である生理用ナプキンを裏面シート側から見た平面図、Ｘ−Ｘ方向及びＹ−Ｙ方向の断面図である。
【００１９】
図４及び図５において、生理用ナプキン１１は、液体透過性の表面シート１２と液体不透過性の裏面シート１３と、その間に介在された吸収体１４とを備え、実質的に縦長に形成されている。表面シート１２と裏面シート１３とは生理用ナプキン１１の長手方向両端において接合されている。表面シート１２及び裏面シート１３の左右両側縁部は外側に延出され、フラップ（生理用ナプキンではウイングともいう。以下、ウィングという。）１５、１５が形成されている。表面シート１２及び裏面シート１３の形成材料としては、通常公知のものを特に制限無く用いる事が出来る。
【００２０】
ナプキン１１（ナプキン本体１９）の長さは、各種サイズがあり得るが、１７０〜４２０ｍｍ（より好ましくは２００〜３６０ｍｍ）が一般的である。ナプキン本体１９（特に吸収体１４）の幅は、下着のクロッチ部の幅が６０〜９０ｍｍ（あるいは５０〜１００ｍｍ）であるから、１５０〜２００ｍｍ（より好ましくは１６５〜１８５ｍｍ）であることが好ましい。ナプキン本体１９若しくは吸収体１４を構成するとき、下着のクロッチ部の寸法が吸収性能、漏れ防止、装着性能の観点から重要である。
【００２１】
なお、本発明においてクロッチに対応するナプキンの領域（「クロッチ対応領域」）７’は、図４に示すように、ナプキン本体１９の長手方向のほぼ中央付近にあって、下着のクロッチ部に対応する領域を指称する。本発明では、クロッチ対応領域７’にウィング１５、１５が形成されることを特徴とし、ウィング１５，１５はその少なくとも一部がナプキン本体１９の長手方向における中央を含む領域に（ナプキン本体１９の長手方向中央を跨いで）形成されている。  ウィング１５、１５の幅（ナプキン長さ方向の長さ）は、ウィングの長さ（ナプキンの幅方向の長さ）方向の中央付近（ナプキン本体を含まないウィングだけの長さの中央付近）の幅で４０〜１２０ｍｍ（より好ましくは５０〜１００ｍｍ）であることが好ましい。ウィング１５、１５の長さは２５〜４０ｍｍ（より好ましくは３０〜３５ｍｍ）であることが好ましい。
【００２２】
本発明の図４〜１０に示す態様では、いずれも、裏面シート１３の表面には、裏面シート１３を全て被覆するシート（カバーシート１６）が形成されている。
【００２３】
カバーシート１６が裏面シート１３と一致することは、機能上のほか、製造工程のコストの観点からも好ましいが、必ずしも完全に一致しなくもよい。たとえば、カバーシートは、ウィング部がないナプキン本体と一致する形状でも良い。
【００２４】
カバーシート１６は裏面シート１３と長手方向両端部、幅方向両端部の全てにおいて接合されていることが、ナプキン本体をくるむように機能するために好ましい（長手方向両端接合部１６ａ、幅方向両端接合部１６ｂ）。
【００２５】
カバーシート１６は、幅方向中心部に、（完全に）切り離された線（切断線）１７若しくはミシン目などの切断補助線１７（以下単に線１７という）が形成されている。線１７は長手方向前端部から長手方向後端部に直線状に形成されていることが好ましい。
【００２６】
図４では、線１７は、切断線１７若しくは切断補助線１７とともに、裏面シート１３が見える程度に規則的若しくは不規則に製品幅方向に広がった箇所（開孔部）１７ａを有する。開孔部１７ａの広がりは１．５ｍｍ〜３ｍｍであることが好ましい。
【００２７】
図４，５の態様において、カバーシート１６表面には、複数本の止着部１８、１８、１８ａ（使用時に下着に止着するための接着要素、止着部２０、２０と一体になることによって下着のクロッチ部を巻き込む様にして止着することができる）が形成されている。図４では左右一対の止着部１８、１８のほか、線１７上にも止着部１８ａが形成されている。止着部１８、１８、１８ａの平面形状は必ずしも限定されないが、矩形が簡便である。止着部１８、１８、１８ａの長手方向の大きさは、吸収体１４の大きさと同じであるか、若しくはそれよりも５ｍｍ〜１０ｍｍ短く形成されていることが好ましい。止着部１８、１８、１８ａの幅方向の大きさも特に限定されるものではないが、小さくても５ｍｍ以上であることが好ましい。一般的には１０〜３０ｍｍ、より好ましくは１５〜２５ｍｍである。止着部１８、１８、１８ａの数は、下着の幅方向長さの最も小さい箇所（クロッチ最狭部）への止着を考慮すると、高々複数本、特に２〜３本が好ましい。
【００２８】
図４、５の態様では、止着部１８のナプキン幅方向の位置は、ナプキン本体１９の幅方向中心部から左右外側に向かって、それぞれの止着部の最内側縁部迄の距離が、３０ｍｍ以下（より好ましくは１５〜４０ｍｍ）の範囲内に収まっていることが好ましい。
【００２９】
裏面シート１３とカバーシート１６が端部のみでヒートエンボス加工、超音波、ホットメルト型接着剤等を単独、若しくはこれらを組み合わせたもので接合されているだけであると、使用時に下着と止着されるのはカバーシート１６のみとなり、ナプキン本体１９はカバーシート１６上に置かれているだけの状態に近く、下着には全く止着されていない。その結果、外力が加わることで生理用ナプキン１１の製品本体に外力が直接掛かり易く、結果、ヨレ、ズレが容易に発生してしまうおそれがある。そうならない様にするために、部分的にでも、特に最も使用中に外力を受けて生理用ナプキン１１のヨレ、ズレの発生し易い箇所、下着に止着される箇所でいうとクロッチ最狭部に止着される箇所が、下着と直接止着されていることが望ましい。そこで、図４に示すように、少なくともクロッチ部（本発明の典型的なナプキンではクロッチ部（クロッチ対応領域）にウィングが形成されているので、本発明のナプキンではクロッチ部はウィング対応領域（フラップ対応領域）となる。）に、線１７は裏面シート１３が見える程度に製品幅方向に１．５ｍｍ〜３ｍｍ広がっている箇所１７ａを設けて、その広がった箇所１７ａに止着部１８ａを形成することが好ましい。
【００３０】
カバーシート１６と裏面シート１３も接着されていることが望ましいので、止着部１８ａの幅方向の大きさも最小で５ｍｍ以上であることが望ましい。線１７ａが３ｍｍ以上広がっている方が下着とも止着出来る面積も大きくなりヨレ、ズレをより抑制し易くなるが、廃棄時には、廃棄状態とした吸収性物品の表面に、開孔部１７ａを通して裏面シート側へと配された止着部の粘着が表れるという課題が顕著に発生してくるため、３ｍｍより大きく広がらないことが望ましい。このとき、止着部１８ａの塗工厚みは、カバーシート１６表面から塗工して裏面シート１３に塗工されるだけ厚みがとれることが望ましい。
【００３１】
しかし、本発明において、線１７の広がった箇所（開孔部）１７ａと、その上の止着部１８ａを形成することは、必須ではない。また、線１７は、カバーシートを製品幅方向に破り易くされていれば良く、その線は単純な直線や曲線でも良く、具体的にはミシン目などの切断補助線でもよい。線１７を覆う止着部１８ａを設けるかどうかも任意である。
【００３２】
図５に、開孔部１７ａがない直線状のミシン目からなる線１７で、線１７上の止着部１８ａがない態様の例を示す。
【００３３】
図４〜６を参照すると、ウィング１５、１５のカバーシート１６表面には、止着部２０、２０（使用時に止着部１８、１８、１８ａと一体となって下着にクロッチ部を巻き込む様にして止着するための接着要素）が形成されている。吸収性物品（生理用ナプキン）において、止着部１８、１８、１８ａ、止着部２０、２０は、剥離紙若しくは剥離フィルム等２２、２３により保護されている（図６（Ａ）（Ｃ）参照）。
【００３４】
カバーシート１６、止着部１８、１８、１８ａ、止着部２０、２０の形成材料としては、表面シート１２、裏面シート１３と同様に通常公知のものを特に制限無く用いる事が出来る。
【００３５】
カバーシート１６は、全光線透過率が２０〜６０％以下であることが好ましい。カバーシートは、廃棄時にトップシート状に重ねられ、排泄物を視覚的に隠蔽する事も必要となる。そのため、光線透過率を６０％以下、より好ましくは５０％以下とすることで排泄物の隠蔽を達成できる。一方、２０％より小さくなるようにカバーシートを構成する場合、シートの柔軟性が損なわれてしまう傾向にあり、体に沿わせて装着する物品として好ましくない。
【００３６】
全光線透過率はカバーシートを透過する可視光線の透過前の光量に対する透過後の光量の割合（パーセント）であり、公知の方法で測定することができる。具体的には下記の測定方法で行うことができる。
全光線透過率の測定：ＪＩＳ−Ｋ７１０５の規格に準拠して測定を実施
色差計（日本電色工業（株）交照測光式色差計Ｚ−３００Ａ）を用いて測定を行った。
具体的には、幅５ｍｍ、長さ５ｍｍのサンプルを濁度計に挟持し、ＴＴ値を求めた。
ＴＴ値を全光線透過率（％）として、記録し、当該測定では１０サンプル測定し、その平均値を光線透過率とした。
【００３７】
表面シート１２としては、有孔又は無孔の不織布や多孔性プラスティックシートを用いることができる。
【００３８】
裏面シート１３としては、疎水性の不織布、不透水性のプラスティックフィルム、不織布と不透水性プラスティックフィルムとのラミネートシート等を用いることができる。又、耐水性の高いメルトブローン不織布や強度の強いスパンボンド不織布で挟んだＳＭＳ不織布でも良い。
【００３９】
吸収体１４としては、フラッフ状パルプ若しくはエアレイド不織布からなることができるが、高吸収ポリマーを含めることもできる。フラッフ状パルプとしては、化学パルプ、セルロース繊維、レーヨン、アセテート等の人工セルロース繊維が挙げられる。エアレイド不織布としては、パルプと合成繊維とを熱融着させ又はバインダーで固着させた不織布がある。高吸収ポリマーとしては、デンプン系、アクリル酸系、アミノ酸系の粒子状又は繊維状のポリマーが挙げられる。
【００４０】
カバーシート１６は、先述した様に、最も好ましいのは不透水性のプラスティックフィルムであるが、その他材料として裏面シート１３と同様の材料も使用できる。
【００４１】
止着部１８、１８ａ、２０には、スチレン−イソプレン−スチレンブロック共重合体（ＳＩＳ）スチレン−ブタジエン−スチレンブロック共重合体（ＳＢＳ）、スチレン−エチレン−ブチレン−エチレン共重合体（ＳＥＢＳ）等のホットメルト粘着剤等を用いる事が出来る。
【００４２】
カバーシート１６の縁部１６ａ、１６ｂは、ヒートエンボス加工、超音波、ホットメルト型接着剤等を単独、若しくはこれらを組み合わせたもので、裏面シート１３と接合されている。
【００４３】
図７〜８を参照して説明するように、カバーシート１６は、ナプキン本体１９に全周縁部１６ａ、１６ｂで剥れないように接合されていることが好ましく、それによって、線１７から左右両側に開いて、その開口部を介してカバーシート１６を裏返して、ナプキン本体１９をくるむことが可能になる。
【００４４】
カバーシート１６とナプキン本体１９の接合強度は、少なくとも４Ｎより強いことが好ましい。下着の種類にもよるが、止着部１８、２０と下着との止着強度は通常２〜４Ｎとされている事が多く、それより大きい接合強度とすることで、使用時にカバーシートがナプキン本体から外れてしまうことを防止できるものである。
【００４５】
カバーシートと吸収性物品本体との接合強度は、次のようにして測定することができる。先ず、接合部を含み、吸収性物品の物品長さ方向に幅２５ｍｍ、同幅方向で長さ３０ｍｍ以上の寸法で測定用サンプルを切り取る。この際、測定対象としたい接合部以外の接合部は予め剥離しておくこととする。次に、測定用サンプルの長さ方向に沿った方向を測定方向として、引張試験機〔オートグラフ ＡＧS-50NX （株）島津製作所製〕を用い、サンプル端部を剥離測定できるようにチャックに固定し、剥離速度1００ｍｍ／分で、180°ピールにて剥離させた際の最大荷重を測定する。10個サンプルについて測定し、その平均値を接合強度とした。
【００４６】
（使用後の生理用ナプキンの廃棄方法）
図７〜９を参照して、使用後に、表面シート１２側の表面が経血等２５で汚れた生理用ナプキン１１を下着から脱着した後、廃棄する方法を説明する。
【００４７】
１つの好ましい態様では、図７の工程Ａに示すように、脱着されたナプキン１１の経血等２５で汚れている表面シート１２側にウィング１５を折り返して、ウィング１５を介してカバーシート及びナプキン本体を裏返す準備をする。
【００４８】
図７の工程Ｂを参照すると、工程Ａで得たナプキン１１の裏面シート１３側に両手の親指以外の４本の指先を当てて裏面シート１３側の止着部１８，１８付近にそれぞれの手の指先を添えるとともに、両手の親指を表面シート１２側でウィング１５，１５の止着部２０，２０に添える。
【００４９】
具体的には、図７の工程Ｂに示すように、親指を表面シート１２側のウィング１５，１５の止着部２０，２０に付けた状態で、裏面シート１３側の止着部１８，１８に接着させた４本の指を用いて左右のカバーシート１６Ｒ，１６Ｌをそれぞれ左右に動かして、カバーシート１６を線１７で切り離し、裏面シート１３側の４本の指をさらに左右に動かしてカバーシート１６Ｒ，１６Ｌを両側に開くようにする。
【００５０】
以下図８を参照して説明するが、図８では図７の工程Ｂに示した手の描写を省略している。図８の工程Ｃでは、工程Ｂに示した両手の４本の指でカバーシート１６Ｒ，１６Ｌを左右に少し広げた裏面シート１３側を示している。カバーシート１６はナプキン本体１９とその全周縁部で接合されており、カバーシート１６（１６Ｒ，１６Ｌ）の中央の開口部（線１７）を開くと、ナプキン本体１９とカバーシート１６とによって開口部（線１７）をもつ袋状物が形成される。図８の工程Ｃはこの袋状物の状態を示している。この袋状物の開口部（線１７）を利用して裏返すと、表面シート１２側は、その裏返された袋状物の中にすっぽりと収容されることが可能である。
【００５１】
図８の工程Ｄは、両手の４本の指でカバーシート１６Ｒ，１６Ｌを工程Ｃからさらに左右に広げたときの状態を、ナプキン１１の表面シート１２側から表わしている。カバーシート１６Ｒ，１６Ｌが両手の４本の指で左右に広げられて、ナプキン本体１９の幅より広がるとともに、ナプキン本体１９の表面シート１２側は親指で裏側に押し込まれてやや幅狭になっている様子が描かれている。
【００５２】
図８の工程Ｅを参照すると、両手の４本の指でカバーシート１６Ｒ，１６Ｌを広げた後、さらにカバーシート１６Ｒ，１６Ｌがナプキン本体１９の表面シート１２側を包むようにカバーシート１６Ｒ，１６Ｌを折り返すとともに、ナプキン本体１９の表面シート１２側を折り返されたカバーシート１６Ｒ，１６Ｌの中に押し込む。先に説明したように、カバーシート１６とナプキン本体１９は開口部（線１７）をもつ袋状物を形成しているので、この袋状物を開口部（線１７）を利用して裏返すと、表面シート１２側はその裏返された袋状物の中にすっぽりと収容されることが可能であり、図８の工程Ｅの図は、こうして折り返されたカバーシート１６Ｒ，１６Ｌによって形成される裏返しの袋状物の中に、ナプキン本体１９の汚れ２５を有する表面シート１２側が押し込まれている状態を示している。
【００５３】
さらに、図８の工程Ｆに示すように、折り返されたカバーシート１６Ｒ，１６Ｌの中にナプキン本体１９の表面シート１２側を押し込んだ後、カバーシート１６Ｒ，１６Ｌの止着部２０，２０を用いて、左右のカバーシート１６Ｒ，１６Ｌどうしを接着する。
【００５４】
表面シート１２が完全に見えなくなる様にカバーシート１６Ｒ，１６Ｌで被覆する。カバーシート１６Ｒ，１６Ｌで被覆しただけだと使用後の表面シート１２が露出してしまうので、止着部１８ａ（１８）同士を接着させる。こうすることにより、何らかの外力が加わっても使用後の表面シート１２が露出する事は無い。
【００５５】
カバーシート１６の線１７上の裏面シート１３が見える程度に規則的若しくは不規則に製品幅方向に広がった箇所（開孔部）１７ａには裏面シート１３に止着部１８ａが形成されている。上述した様な廃棄方法、廃棄形態だと止着部１８ａが剥き出しの状態になってしまっているが、その広がりは１．５ｍｍ〜３ｍｍで且つ下着と最も確実に止着されている止着部１８ａなので、廃棄するために生理用ナプキン１１を下着から引き剥がした時には、その止着部１８ａは下着の繊維も接着された状態になっており、止着強度は大きく低下している。したがって、その止着部１８ａが指に接着して廃棄用のサニタリーボックスに上手く廃棄出来なかったり、サニタリーボックスから取り出す時もサニタリーボックス内でくっついてしまって取り出し難くなってしまったりという事を抑制できる。
【００５６】
このように、本発明のナプキンによれば、表面シート１２の経血等の汚れ２５に手を触れることなく、ナプキンをカバーシートで包んで廃棄を施すことが可能になる。
【００５７】
図７〜８を参照した上記の説明では、線１７に開孔部１７ａと止着部１８ａが存在したが、開孔部１７ａ及び止着部１８ａは無い場合にも、上記と同様に処理し、ナプキンを廃棄することが可能である。
【００５８】
また、上記の工程Ａ〜Ｆのナプキン廃棄方法では、カバーシート１６の全周縁部の接合部は引き剥がされることないので、袋状物を構成しており、その袋状物のカバーシート１６をめくり返すことで、ナプキン本体１９をカバーシート１６内に包み込んだが、カバーシート１６の長手方向端部の接合１６ａを剥離して、そのカバーシート１６を用いてナプキン本体１９を包み込むようにしてもよい。
【００５９】
図９を参照して説明すると、この態様では、図５のナプキンの例と同様のものであるが、線１７が切り取り線である場合には、切り取り線に沿って両側から引っ張って、カバーシート１６（１６Ｒ，１６Ｌ）を線１７に沿って開ける。線１７が最初から開放されている場合には、そのまま開放された切り口（線１７）を利用する。
【００６０】
なお、この前に、図７の工程Ａのように、ウィング１５，１５を表面シート１２側に折り返すことが好ましい。
【００６１】
図９の工程Ｃ’を参照すると、図５に示す開放された線１７の左右両側のカバーシート１６Ｒ，１６Ｌを左右に引っ張る力を加えると、ナプキン本体１９の前後端部の接合１６ａ（カバーシート１６と裏面シート１３との接着等）が剥されて、カバーシート１６Ｒ，１６Ｌは左右に開いて、裏面シート１３側に折り返すことが可能である。このとき、接合１６ａは接着が好ましいが、たとえば、ヒートエンボス加工等であっても間隔をあけた接合であれば、引き剥がしは可能である。
【００６２】
裏面シート１３側に折り返されたカバーシート１６Ｒ，１６Ｌを用いて、表面シート１２を覆う。このとき、カバーシート１６Ｒ，１６Ｌのズレ止め１８を利用して、カバーシート１６Ｒ，１６Ｌどうしが重なるようにナプキン本体１９を包んで接合するようにすると、ナプキン表面シート側の汚れ２５で手が汚れることが回避される（図９の工程Ｄ’）。
【００６３】
なお、上記の工程において、工程の順序は上記の説明の順序と同じである必要はない。たとえば、最初に線１７の切り取り線を切り開いてから、ウィング１５を表面シート１２側に折り返してもよい。
【００６４】
上記のように、本発明の吸収性物品によれば、使用面を触ることなく、清潔に、使用後の表面シートを被覆でき、確実にすばやく廃棄できる。
【図１】
2014068913.tif 000003
【図２】
2014068913.tif 000004
【図３】
2014068913.tif 000005
【図４】
2014068913.tif 000006
【図５】
2014068913.tif 000007
【図６】
2014068913.tif 000008
【図７】
2014068913.tif 000009
【図８】
2014068913.tif 000010
【図９】
2014068913.tif 000011